(57)【要約】      （修正有）【課題】フレキシブルスクリーンを使用し且つ可視領域の割合が高いディスプレイモジュールを提供する。【解決手段】ディスプレイモジュール１０は、基板２０と、フレキシブルスクリーン３０とを備える。基板２０は、第一曲率を有する正面２２と、正面に対向する背面２４と、正面２２の側方に位置し且つ第二曲率を有する側面２６とを備え、第二曲率が前記第一曲率よりも大きい。フレキシブルスクリーン３０は、非表示領域と、発光素子アレイを有する有効領域とを備え、有効領域は、正面２２に貼り付けられる本体部と、側面２６に貼り付けられるエッジ部とを備え、非表示領域が少なくとも部分的に背面２４に延びる。【選択図】図２
2019070828.tif 000002
【特許請求の範囲】
【請求項１】
第一曲率を有する正面と、前記正面に対向する背面と、前記正面の側方に位置し且つ第二曲率を有する側面とを備え、前記第二曲率が前記第一曲率よりも大きい基板と、
非表示領域と、発光素子アレイを有する有効領域とを備えるフレキシブルスクリーンと、
を備え、
前記有効領域は、前記正面に貼り付けられる本体部と、前記側面に貼り付けられるエッジ部とを備え、前記非表示領域が少なくとも部分的に前記背面に延び、
前記基板は、収納空間として機能する中空のチェンバを形成するように、変形後形状を保つことができる硬質平板が折り曲げられたものであるディスプレイモジュール。
【請求項２】
前記有効領域は前記エッジ部を一つだけ備え、前記背面に延びる前記非表示領域は前記エッジ部に沿って前記背面に延びることを特徴とする請求項１に記載のディスプレイモジュール。
【請求項３】
前記基板は、前記側面と前記側面に対向する第二側面とを備え、前記第二側面が平面であり、前記正面における前記エッジ部から離れる側と前記第二側面とが揃えられることを特徴とする請求項２に記載のディスプレイモジュール。
【請求項４】
前記有効領域は、前記本体部の対向する両側に位置する二つの前記エッジ部を備え、前記背面に延びる前記非表示領域は少なくとも一つの前記エッジ部に沿って前記背面に延びることを特徴とする請求項１に記載のディスプレイモジュール。
【請求項５】
前記正面は平面、凹面または凸面であり、前記側面は前記正面に平滑に接続されることを特徴とする請求項１〜４のいずれかに記載のディスプレイモジュール。
【請求項６】
前記正面及び前記背面のぞれぞれは平面であり、前記側面は前記正面及び前記背面のそれぞれに平滑に接続される円弧面であることを特徴とする請求項１〜４のいずれかに記載のディスプレイモジュール。
【請求項７】
前記基板は、電池であることを特徴とする請求項１に記載のディスプレイモジュール。
【請求項８】
請求項１〜７のいずれかに記載のディスプレイモジュールを備える電子装置。
【請求項９】
第一曲率を有する本体と、前記本体の側方に位置し且つ第二曲率を有するサイドエッジとを備え、前記第二曲率が前記第一曲率よりも大きい硬質透明板と、
非表示領域と、発光素子アレイを有する有効領域とを備えるフレキシブルスクリーンと、
を備え、
前記有効領域は、前記本体に貼り付けられる本体部と、前記サイドエッジに貼り付けられるエッジ部とを備え、前記非表示領域が少なくとも部分的に前記有効領域に重なり、
前記硬質透明板は、収納空間として機能する中空のチェンバを形成するように折り曲げられ、変形後形状を保つディスプレイモジュール。
【請求項１０】
前記硬質透明板と前記フレキシブルスクリーンとの間に設けられ且つタッチをセンシングする機能を有するタッチ層をさらに備えることを特徴とする請求項９に記載のディスプレイモジュール。
【請求項１１】
前記有効領域は、前記本体部の対向する両側に位置する二つの前記エッジ部を備えることを特徴とする請求項９に記載のディスプレイモジュール。
【請求項１２】
前記本体は平板であり、前記サイドエッジは前記本体に平滑に接続されることを特徴とする請求項９〜１１のいずれかに記載のディスプレイモジュール。
【請求項１３】
前記非表示領域は、前記本体に垂直する方向に沿って前記本体の少なくとも一部及び前記エッジ部に投影することを特徴とする請求項１２に記載のディスプレイモジュール。
【請求項１４】
請求項９〜１３のいずれかに記載のディスプレイモジュールを備える電子装置。
【請求項１５】
前記硬質透明板は、前記電子装置におけるユーザの直接接触のためのガラスパネルであることを特徴とする請求項１４に記載の電子装置。
【発明の詳細な説明】
【技術分野】
【０００１】
本発明は、ディスプレイモジュールに関し、特に、可視領域の割合が高いディスプレイモジュールに関する。
【背景技術】
【０００２】
液晶ディスプレイ（ＬＣＤ）パネルは、平行な二つの矩形の硬質ガラス基板の間に液晶が設けられ、下方のガラス基板に薄膜トランジスタ（ＴＦＴ）が設けられ、上方のガラス基板にカラーフィルタが設けられ、ＴＦＴにおける信号や電圧の変化によって液晶分子の配向方向を制御し、そして、表示の目的を達成するように各画素における偏光が出射するか否かを制御する構造である。液晶が液状であるため、上方と下方のガラス基板の周囲には、液晶を密封するようにシール手段、例えば、シール剤が設けられる結果、液晶パネルのエッジに画像が表示されないボーダーがある。
【０００３】
技術の発展につれて、硬質ガラス基板に設けられた二層の電極と該二層の電極の間に挟まれた一層の有機材料とを備えた有機発光ダイオード（ＯＬＥＤ）パネルが現れる。有機材料が自在に流れないため、シールのためのボーダーが設けられる必要はない。従来の一種のＯＬＥＤパネルは、真ん中にある矩形の有効表示領域と、有効表示領域内の制御線及びデータ線を対応するコントローラに接続するための、周囲にある配線領域とを備える。配線領域が表示機能を有しないため、ＯＬＥＤパネル全体に対する有効表示領域の割合、即ち、可視領域の割合が依然として低い。最近、現れたフレキシブルＯＬＥＤスクリーンによって、可視領域の割合を大幅に向上させる可能性が高くなる。
【発明の概要】
【０００４】
本発明の実施形態は、フレキシブルスクリーンを使用し且つ可視領域の割合が高いディスプレイモジュールを提供する。
【０００５】
このディスプレイモジュールは、基板と、フレキシブルスクリーンとを備える。前記基板は、第一曲率を有する正面と、前記正面に対向する背面と、前記正面の側方に位置し且つ第二曲率を有する側面とを備え、前記第二曲率が前記第一曲率よりも大きい。前記フレキシブルスクリーンは、非表示領域と、発光素子アレイを有する有効領域とを備える。前記有効領域は、前記正面に貼り付けられる本体部と、前記側面に貼り付けられるエッジ部とを備え、前記非表示領域が少なくとも部分的に前記背面に延びる。
【０００６】
本発明は、硬質透明板とフレキシブルスクリーンとを備えるディスプレイモジュールを更に提供する。前記硬質透明板は、第一曲率を有する本体と、前記本体の側方に位置し且つ第二曲率を有するサイドエッジとを備え、前記第二曲率が前記第一曲率よりも大きい。前記フレキシブルスクリーンは、非表示領域と、発光素子アレイを有する有効領域とを備え、前記有効領域は、前記本体に貼り付けられる本体部と、前記サイドエッジに貼り付けられるエッジ部とを備え、前記非表示領域が少なくとも部分的に前記有効領域に重なるディスプレイモジュール。
本発明は、上記ディスプレイモジュールを備える電子装置を更に提供する。
【０００７】
上記技術特徴によれば、ユーザが見られるディスプレイモジュールのエッジに画像が表示されることができ、ボーダーが見えないため、ディスプレイモジュールの可視領域の割合を向上させる。ディスプレイモジュールが携帯電話等の電子装置内に装着された場合、携帯電話は、両側のエッジにサイドフレームが設けられないように設計されることが可能であるため、魅力を向上させる。
【図面の簡単な説明】
【０００８】
以下の添付図面は、実施形態と一緒に本発明を詳細に説明するためのものである。添付図面に示される各素子は、実際のサイズ及び割合を表するものではないと理解される。説明を明瞭にするために示される概略図は、本発明を制限するものであると理解されてはならない。
【図１】本発明の第一実施形態によるディスプレイモジュールの概略図である。
【図２】別の視角から見たディスプレイモジュールの部分分解概略図である。
【図３】組み立てられる前のディスプレイモジュールの広げられたフレキシブルスクリーンの概略図である。
【図４】図３のフレキシブルスクリーンの発光素子アレイの部分概略図である。
【図５】図１のディスプレイモジュールのＶ−Ｖ線に沿った概略断面図である。
【図６】図２の視角と同様なものから視た、本発明の第二実施形態に係るディスプレイモジュールの概略図である。
【図７】図６の組み立てられる前のディスプレイモジュールの広げられたフレキシブルスクリーンの概略図である。
【図８】本発明の第三実施形態に係るディスプレイモジュールの概略断面図である。
【図９】本発明の第四実施形態に係るディスプレイモジュールの概略断面図である。
【図１０】本発明の第五実施形態に係るディスプレイモジュールの概略断面図である。
【図１１】本発明の第六実施形態に係るディスプレイモジュールの概略断面図である。
【図１２】本発明の実施形態に係るディスプレイモジュールが適用される電子装置の概略断面図。
【発明を実施するための形態】
【０００９】
本発明の目的、技術手段及び利点を一層明瞭にするために、以下に、若干の実施形態及び図面を参照しながら、本発明を一層詳しく説明する。ここで記載される実施形態は、本発明を説明するためのものだけであるが、本発明を制限するものではないと理解される。
【００１０】
図１及び図２は、本発明の第一実施形態による、組み立ての前後のディスプレイモジュール１０の概略構造図である。ディスプレイモジュール１０は、基板２０と、フレキシブルスクリーン３０と、集積化コントローラ４０とを備える。基板２０は、長方形を呈しており、正面２２と、正面２２に対向する背面２４と、基板２０の長手方向に延びる二つの側面２６とを備える。正面２２及び背面２４は、互いに平行な平面である。図５に一層明らかに示すように、各側面２６は、正面２２及び背面２４のそれぞれに接する半円筒面である。基板２０は、長さがＬであり、幅（二つの側面２６の間の最も遠い距離）がＷである。
【００１１】
図３及び図４に示すように、フレキシブルスクリーン３０は、広げられた際に矩形を呈しており、発光素子アレイ３１を有する矩形有効領域３６と非表示領域３８とを備える。有効領域３６は、長さがＬであるが、幅がＷよりも大きい。発光素子アレイ３１は、互いに直交するゲート線３２及びデータ線３３と、隣接するゲート線３２の間及び隣接するデータ線３３の間に設けられる制御回路３４と、対応する制御回路３４に接続される発光ユニット３５、例えば有機発光ダイオードとを備える。制御回路３４は、対応するゲート線３２及びデータ線３３に接続され、発光ユニット３５のオン・オフを制御するように、対応する制御コマンドを受信する。ゲート線３２は、奇数行及び偶数行がそれぞれ非表示領域３８に延び、有効領域３６の、基板２０の長手方向に平行な対向する両側（図面において、符号はそれぞれ３８ａ及び３８ｂである）に位置し、さらに、非表示領域３８における基板２０の長手方向に垂直な側（図面において、符号は３８ｃである）に位置する。データ線３３は、同様に、有効領域３６から非表示領域３８ｃに延びる。集積化コントローラ４０は、非表示領域３８ｃに設けられ、上記ゲート線３２及びデータ線３３に接続される。集積化コントローラ４０は、上記コマンドを発信するためのものである。集積化コントローラ４０は、長さが有効領域３６の、基板２０の長手方向に垂直な方向での長さよりも短くてもよいが、この場合、上記ゲート線３２及びデータ線３３は、中に寄るように集積化コントローラ４０に接続される。
【００１２】
組み立ての際に、有効領域３６と基板の正面２２との中点を揃え、両者の長辺を互いに平行させ、そして、非表示領域３８ａ及び３８ｂをそれぞれ二つの側面２６に沿って背面２４に折り曲げ、且つ、接着等の手段で背面２４に固定することにより、図１に示す構造を形成する。図５に示すように、有効領域３６は基板の正面の２２及び側面２６の弧長の半分を覆う。このため、有効領域３６は、正面２２に貼り付けられる本体部３６ａと、側面２６に貼り付けられるエッジ部３６ｂとを備える。この場合、図２に示すように、非表示領域３８ｃは、基板２０の外方に位置する。このように、正面から組み立てられたディスプレイモジュール１０を見たら、ディスプレイモジュール１０の三つのエッジに画像は表示されることができ、ボーダーは集積化コントローラ４０が設けられた非表示領域３８ｃしかに見えないため、ディスプレイモジュール１０の可視領域の割合を向上させる。ディスプレイモジュール１０が携帯電話内に装着された場合、携帯電話は、両側のエッジにサイドフレームが設けられないように設計されることが可能であるため、魅力を向上させる。言うまでもなく、ディスプレイモジュール１０は、タブレットコンピュータ、一体型コンピュータ、ディスプレイ、テレビなどの電子装置に適用されてもよい。ディスプレイモジュール１０は、正方形あるいは他の形状であってもよく、特定の電子装置の要求に応じて定められてもよいと理解される。エッジ部３６ｂは、側面２６の弧長の半分以下または以上を覆ってもよく、特定の電子装置の設計に応じて定められてもよいと理解される。
【００１３】
図６及び図７は、本発明の第二実施方式に係るディスプレイモジュール１０’を示し、このディスプレイモジュール１０’は、フレキシブルスクリーン３０’のゲート線３２がすべて基板２０の長手方向に平行な非表示領域３８ｂに延び、さらに、非表示領域３８ｃに延びる。非表示領域３８ｃは、基板の背面に延び、有効領域における非表示領域３８ｂに対向するエッジ部は依然として側面に貼り付けられる。この実施方式において、第一実施形態によって達した、三つのエッジに画像が表示されることができるという効果も奏する。
【００１４】
図８は、本発明の第三実施方式に係るディスプレイモジュール１０”を示し、このディスプレイモジュール１０”は、基板２０”の側面のうち、一方の側面だけが半円筒面であり、他方の側面２６’が平面であるという点で、第二実施方式に係るディスプレイモジュール１０’と相違する。有効領域３６における非表示領域３８ｂから離れる側３６ｂ’と該平面２６’とは揃えられ、つまり、有効領域３６は、側面２６に貼り付けられるエッジ部３６ｂを一つだけ備える。
【００１５】
非表示領域３８ａ及び３８ｂには、ゲートドライバオンアレイ（Ｇａｔｅ  ｄｒｉｖｅｒ  ｏｎ  Ａｒｒａｙ、ＧＯＡ）技術などで発光素子アレイの基板に製造されたゲートドライバが設けられてもよいと理解される。
【００１６】
また、図９に示すように、上記第一乃至第三実施方式に係る基板は、変形後形状を保つことができる硬質平板、例えば薄い鋼板２７が折り曲げられたものであってもよい。この場合、鋼板は、半包囲構造が形成でき、中空のチェンバ２９が他の部品、例えば該ディスプレイモジュールが適用された電子装置の回路板を収納するためであってもよい。
【００１７】
また、上記の第一乃至第三実施方式に係る基板は、電池であってもよい。この場合、電池は、対応する実施形態に係る基板の形状になるように設計される。この場合、該ディスプレイモジュールが適用された電子装置の厚さを低減することができる。
【００１８】
また、以上に挙げられた各実施方式に係る基板は、折り曲げられてもよく、このため、図１０に示すように、フレキシブルスクリーンが設けられた正面２２は、一定の曲率で窪むことができる。言うまでもなく、一定の曲率で突起してもよく（図示せず）、または、略球面状に窪んであるいは突起してもよい。要するに、凹面あるいは凸面であってもよく、且つ、窪んだあるいは突起した曲率が側面の曲率よりも小さい。また、該側面は、必ずしも該正面及び背面のそれぞれに接する半円筒面ではなく、フレキシブルスクリーンが鋭い角によって損なわないように該正面あるいは背面に平滑に接続されればよい。正面は平面である場合、曲率がゼロであるため、以上のすべての実施方式を参照して分かるように、基板の正面の曲率が基板の側面の曲率よりも小さいものでさえすれば、本発明の要旨の範囲に属する。
【００１９】
以上に挙げられた各実施方式において、好ましくは、フレキシブルスクリーン３０における基板２０から離れた表面には、タッチをセンシングする機能を有するタッチ層が設けられてもよい。
【００２０】
図１１は、本発明の他の実施形態に係るディスプレイモジュール１２の概略断面図である。本実施形態に係るディスプレイモジュール１２は、基板２０の代わりに、フレキシブルスクリーン３０における元の基板２０から離れた表面に接触する硬質透明板５０を備えるという点で、第一実施形態に係るディスプレイモジュール１０と相違する。硬質透明板５０は、硬質で且つ透明であるガラス、セラミックまたはプラスチックであってもよく、長方形の平面状の本体５２と、本体５２の長辺にそれぞれに接続される二つの湾曲するサイドエッジ５４とを備える。サイドエッジ５４は、１／４円弧状に折り曲げられてもよい。フレキシブルスクリーン３０の有効領域３６は、例えば光学透明性接着剤（Ｏｐｔｉｃａｌ  Ｃｌｅａｒ  Ａｄｈｅｓｉｖｅ、ＯＣＡ）等の接着等の手段で硬質透明板５０に固定されることにより、有効領域３６の本体部３６ａが本体５２に貼り付けられ、エッジ部３６ｂがサイドエッジ５４に貼り付けられる。硬質透明板５０は、フレキシブルスクリーン３０に貼り付けられない側が、ユーザを向くものである。非表示領域は、後でディスプレイモジュール１０が電子装置に装着される際に固定され、且つ対応する回路に接続されてもよい。また、非表示領域３８は、少なくとも部分的に、有効領域３６に重なる。ここで、上記「重なる」は、両者が直接に重なることを意味するものではなく、図１１に示すように、非表示領域３８が少なくとも部分的に有効領域３６に投影することを意味する。硬質透明板５０が電子装置におけるユーザを向く最も外方のガラス板である場合、以上の実施形態に比べて、基板を設ける必要がなく、電子装置の厚さをさらに低減することができる。
【００２１】
ディスプレイモジュールがタッチをセンシングする機能を有するようにするために、フレキシブルスクリーン３０と硬質透明板５０との間には、この機能を実現するようにタッチをセンシングする機能を有するタッチ層が設けられてもよい。具体的には、タッチ層は、まず、光学透明性接着剤でフレキシブルスクリーン３０に接着され、次に、光学透明性接着剤で硬質透明板５０に接着される。
【００２２】
上記若干の実施形態において、本実施形態に適用される変更は挙げられてしまい、本実施形態において、対応する変更が行われてもよいと理解される。例えば、本体５２が折り曲げられるように設けられ、エッジ部３６ｂが一つ設けられる。
【００２３】
具体的には、図１２は、ディスプレイモジュール１２が電子装置６０、例えば携帯電話内に適用される場合の概略断面図。電子装置６０の回路板６２は、ディスプレイモジュール１２の下方に設けられ、且つ、少なくとも部分的にディスプレイモジュール１２に取り囲まれる。ディスプレイモジュール１２の非表示領域は、回路板６２に折り曲げられ且つ接続される。電池６４は、回路板の下方に位置する。ディスプレイモジュール１２の硬質透明板は、電子装置の、ユーザの操作のためのフロントパネルを構成する。
【００２４】
以上は、本発明の実施方式に過ぎなく、本発明を制限するためのものではない。本発明の精神及び要旨を逸脱しない場合行われる変更、均等代替及び改善などは、いずれも本発明の範囲に属するものである。
【図１】
2019070828.tif 000003
【図２】
2019070828.tif 000004
【図３】
2019070828.tif 000005
【図４】
2019070828.tif 000006
【図５】
2019070828.tif 000007
【図６】
2019070828.tif 000008
【図７】
2019070828.tif 000009
【図８】
2019070828.tif 000010
【図９】
2019070828.tif 000011
【図１０】
2019070828.tif 000012
【図１１】
2019070828.tif 000013
【図１２】
2019070828.tif 000014